(57)【要約】【課題】糞を袋に回収した後に袋を密封することで完全な防臭が得られ、また、繰り返しの糞回収に際しての操作性が良く、更には、簡易構造で低コスト化が可能であると共に、軽量で携帯性も良いペット糞回収器具を得る。【解決手段】環状枠体１は、把手部２が設けられた固定枠１１と、固定枠１１に対して水平に保持されると共に折り畳み自在に軸支される可動枠１２とからなる。固定枠１１の上面側には凹状溝１１Ａが枠に沿って形成されており、可動枠１２は折り畳み時に凹状溝１１Ａに嵌合されるように、固定枠１１の先端に軸部１３で軸支されている。環状枠体１の上面を袋が覆うように袋を開口させた状態で環状枠体１に支持し、糞回収後には凹状溝部１１Ａ内に袋の開口部を挟んで可動枠１２を嵌合させ、袋の開口を密封させる。【選択図】　　　　図１
2004024030.tif 000002
【特許請求の範囲】
【請求項１】
ペット糞を回収する袋を環内に保持して袋開口を開放状態に維持する環状枠体と該環状枠体の放線方向に延びる把手部とからなるペット糞回収器具であって、
前記環状枠体は、前記把手部が設けられた半円状の固定枠と、この固定枠に対して水平に保持されると共に折り畳み自在に軸支される半円状の可動枠とからなり、
前記固定枠の上面側には凹状溝が枠に沿って形成され、前記可動枠は折り畳み時に前記凹状溝に嵌合されるように前記固定枠に軸支され、
前記把手部の下面側には、前記環状枠体の上面側を覆うように配備された袋の開口端を固定する袋固定部が設けられることを特徴とするペット糞回収器具。
【請求項２】
前記可動枠は、折り畳み時に前記固定枠の上面に当接する縁部が枠に沿って形成されていることを特徴とする請求項１記載のペット糞回収器具。
【発明の詳細な説明】
【０００１】
【発明の属する技術分野】
本発明は、犬等のペットが排出する糞を、地上に落下する前に袋の中に回収するために用いられるペット糞回収器具に関するものである。
【０００２】
【従来の技術】
犬等のペットが散歩時に排出する糞を飼い主自らが回収することは、飼い主として当然行うべきマナーであるが、ペットを飼う習慣が広まるなかで、糞の回収を衛生的且つ簡易に行える器具が求められている。
【０００３】
一般に、犬等のペットは、糞を排出する前に特有の前兆動作をするので、これを察知して袋を準備すると、排出された糞を落下前に袋の中に回収することができる。しかしながら、単に手で袋の口を開いて落下前の糞を回収しようとすると、袋を持った手が汚れてしまい衛生的でない。また、前兆動作があってから糞の排出までの短時間に袋の口を開いて回収の準備をするのは容易なことではない。そこで従来、袋の口を開口した状態で支持する環状枠体に把手部を設けた器具が各種提案されている。
【０００４】
このような器具の中で、例えば、特開平１０−３２３１４１号公報に記載されたものでは、環状枠体を半円状に折り畳み自在な構造とし、使用時には環状枠体を円状に開き、糞回収後の携帯時には環状枠体を半円状に折り畳んで袋の口を閉じるようにしたものが提案されている。
【０００５】
【発明が解決しようとする課題】
しかしながら、前述した従来のペット糞回収器具によると、環状枠体を折り畳んだ際に袋の開口に対して充分な密封性を与えることができず、防臭効果が低いという問題がある。また、折り畳み状態の保持をロック機構等を装備して行っているので、構造が複雑になりコスト高になると共に重量が嵩み携帯性が悪化するという問題もある。
【０００６】
更には、近年、多頭数のペットの所有が多くなったことで、一度の散歩時に複数回の糞回収を行う機会も多くなっているが、前述した従来のペット糞回収器具では、繰り返し糞回収を行う際の工夫がなされておらず、一端折り畳んで袋の開口を固定した後に再度袋を開放する際の操作性にも問題があった。
【０００７】
本発明は、このような問題に対処するために提案されたものであって、糞を袋に回収した後に袋を密封することで高い防臭効果が得られ、また、繰り返しの糞回収に際しての操作性が良く、更には、簡易構造で低コスト化が可能であると共に、軽量で携帯性も良いペット糞回収器具を提供することを目的とするものである。
【０００８】
【課題を解決するための手段】
このような目的を達成するために、本発明は以下の特徴を具備している。すわわち、請求項１に係る発明は、ペット糞を回収する袋を環内に保持して袋開口を開放状態に維持する環状枠体と該環状枠体の放線方向に延びる把手部とからなるペット糞回収器具であって、前記環状枠体は、前記把手部が設けられた半円状の固定枠と、この固定枠に対して水平に保持されると共に折り畳み自在に軸支される半円状の可動枠とからなり、前記固定枠の上面側には凹状溝が枠に沿って形成され、前記可動枠は折り畳み時に前記凹状溝に嵌合されるように前記固定枠に軸支され、前記把手部の下面側には、前記環状枠体の上面側を覆うように配備された袋の開口端を固定する袋固定部が設けられることを特徴とする。
【０００９】
請求項２に係る発明は、請求項１のペット糞回収器具を前提として、前記可動枠は、折り畳み時に前記固定枠の上面に当接する縁部が枠に沿って形成されていることを特徴とする。
【００１０】
このような特徴を具備する各請求項に係る発明によると、糞回収後に環状枠体を折り畳む際には、固定枠上面側に形成された凹状溝に可動枠が嵌合され、固定枠の凹状溝とそれに嵌合された可動枠との間に袋の開口端部が挟持されることになり、これによってほぼ完全に袋の開口を密封することが可能になり、凹状溝部に可動枠を嵌合させて折り畳み状態を保持することができる。しがたって、糞回収後の携帯時に充分な防臭効果が得られると共に、大量の糞を回収した場合でも確実に袋内に糞を収容した状態を保持して器具を携帯することができる。
【００１１】
更には、一端折り畳んだ後に再度袋を開放する場合には、固定枠の凹状溝に嵌合された可動枠を外すように固定枠に軸支された可動枠を回動させて両者を水平に保持させるだけでよいので、複雑な解除動作は不要であり、良好な操作性が得られる。また、固定枠と可動枠とを係止するための係止機構等を別途設ける必要がないので、構造が簡素化でき、軽量化及び製造コストの低減化を図ることができる。
【００１２】
そして、可動枠に沿って縁部を形成し、この縁部を折り畳み時に固定枠の上面に当接するように構成することで、更に確実に袋の開口部を密封させることが可能になる。
【００１３】
【発明の実施の形態】
以下、本発明の実施形態を図面を参照して説明する。図１は本発明の一実施形態に係るペット糞回収器具の外観を示す説明図である。１は、ペット糞を回収する袋を環内に保持して袋開口を開放状態に維持する環状枠体、２は、環状枠体１の放線方向に延びる把手部を示している。
【００１４】
環状枠体１は、把手部２が設けられた半円状の固定枠１１と、この固定枠１１に対して水平に保持されると共に折り畳み自在に軸支される半円状の可動枠１２とからなる。固定枠１１の上面側には凹状溝１１Ａが枠に沿って形成されており、可動枠１２は折り畳み時に凹状溝１１Ａに嵌合されるように、固定枠１１の先端に軸部１３で軸支されている。また、図中で、可動枠１２の内側には、内側に突出する縁部１２Ａが形成されており、固定枠の上面内側の中央には、開放補助溝１１Ｂが設けられている。
【００１５】
図２は、実施形態のペット糞回収器具を下面側からみた平面図である。図１で説明した部位については共通の符号を付して重複した説明は省略する。また、以下に説明する各図においても、共通の部位については共通の符号を付して重複した説明は省略する。図２においては、把手部２の下面側に、袋固定部２０を形成する袋固定片２１が設けられている。
【００１６】
図３は、この袋固定部２０の詳細を示す説明図であって、同図（ａ）が袋固定片２１を取り外した状態の把手部下面側の構造を示す平面図、同図（ｂ）がそのＡＡ断面図、同図（ｃ）は袋固定片２１単独の平面図、同図（ｄ）はそのＢＢ断面図である。
【００１７】
同図（ａ），（ｂ）に示すように、把手部２の下面側は凹状断面を有するように形成されており、その下面２ａに一対の固定突起２２，２２が設けられ、両側面２ｂには、軸受け部２３及び袋固定片係止突起２４が設けられている。また、同図（ｃ），（ｄ）に示すように、袋固定片２１側には、一対の固定突起２２，２２間に填り込む固定突起２１Ａ、軸受け部２３に軸支される軸突起２１Ｂ、袋固定片係止突起２４に係止される係止突起２１Ｃがそれぞれ設けられている。また、袋固定片２１の先端部には、袋の固定・解除を容易にするために反り部２１Ｄが設けられている。
【００１８】
したがって、袋固定部２０は、把手部２側の軸受け部２３に袋固定片２１の軸突起２１Ｂが軸支され、これを軸として袋固定片２１が把手部２に対して回動自在に軸支される構成となっており、袋固定片２１の係止突起２１Ｃが把手部２側の袋固定片係止突起２４に係止された状態で、一対の固定突起２２，２２間に固定突起２１Ａが填り込み、この間に袋の開口端が固定されるようになっている。
【００１９】
以下に、実施形態のペット糞回収器具の使用方法を説明する。図４及び図５は、ペット糞回収器具に回収用の袋を装備する手順を説明する説明図である。ここで使用される袋は、スーパーやコンビニエンスストアで入手できる商品収容用袋のように左右に取っ手部を有する袋が適するが、特にこれに限定されるものではなく、同様の形態の袋を適宜代用することができる。
【００２０】
図４に示すように、環状枠体１の環内に袋Ｆの本体Ｆ１を入れて、袋Ｆの開口端Ｆ２で環状枠体１の上面が覆われるように、袋Ｆを環状枠体１に配備する。そして、図４の矢印で示すように、袋Ｆの開口端Ｆ２の左右両先端（取っ手部分）を把手部２の下面側に持っていき、図５に示すように、把手部２の下面側に設けた袋固定片２１によって固定する。これで、ペット糞を回収ための前準備は完了する。
【００２１】
袋内にペット糞を回収した後は、図５の破線で示すように可動枠１２を軸部１３を中心に回動させ、環状枠体１を折り畳み状態にする。図６はこの折り畳み状態を示す側面図である。固定枠１１の凹状溝１１Ａ内に可動枠１２を完全に嵌合させると、図６（ａ）で示すような状態になる。図６（ｂ）はこの状態でのＣＣ断面図を示している。この図からも明らかなように、袋の開口端は、環状枠体１が折り畳まれる前には、固定枠１１の上面及び可動枠１２の上面を覆う状態で把手部２の下面側に設けられた袋固定片２１で固定されるので、折り畳み状態になると、固定枠１１上の袋開口端Ｆ１ａと可動枠１２上の袋開口端Ｆ１ｂとが凹状溝１１Ａ内で可動枠１２に圧接された状態になり、前後の袋開口端が重ねられて袋の開口を密封することになる。
【００２２】
そして、可動枠１２に固定枠１１の上面に当接する縁部１２Ａを形成することによって、更に袋の密封度合いを高めることが可能になる。また、凹状溝１１Ａの溝幅とその溝内に嵌合される可動枠１１の幅との関係を適宜に設定することで、環状枠体１の折り畳み状態を安定的に保持することが可能になる。したがって、特に折り畳み状態を保持するロック手段等を別途も受ける必要がないので構造が簡素化できる。
【００２３】
このような実施形態のペット糞回収器具によると、環状枠体１に前述のように袋Ｆを支持させ、環状枠体１の固定枠１１と可動枠１２を水平に保持した状態で把手部２を把持し、ペットが排出した糞を地上に落下する前に袋Ｆ内に回収する。
【００２４】
糞の回収後は、固定枠１１の凹状溝１１Ａ内に可動枠１２を嵌合させて、環状枠体１を折り畳み状態にする。これによって、糞を収容した袋Ｆの開口は環状枠体１の折り畳みに伴って前後に折り畳まれ、前述のように固定枠１１の凹状溝１１Ａ内で密封状態に保持されることになる。したがって、袋Ｆ内に収容したペット糞の異臭が袋の外に放出されるのを完全に遮断することが可能になり、高い防臭効果を得ることができる。
【００２５】
また、固定枠１１の凹状溝１１Ａに可動枠１２をしっかりと嵌合させることができるので、携帯中に環状枠体１の折り畳みが開放することはなく、衛生的であり且つ携帯性が向上する。
【００２６】
そして、再度使用する際には、可動枠１２の縁部１２Ａと固定枠１１の開放補助溝１１Ｂとの間に指先を入れて手動で簡単に環状枠体１を開放させることができる。したがって、開放解除のためにロックを解除する等の特別の操作は不要であり、再度使用する際にも良好な操作性を得ることができる。
【００２７】
更に、この実施形態におけるペット回収器具は、樹脂成形によって、固定枠１１と把手部２の部品、可動枠１２、及び袋固定片２１を形成し、これらを簡単に組み立てて器具本体を製造することができるので、生産が高く低コスト化が可能である。また樹脂成形により軽量化が可能になり、この点でも携帯性が向上する。
【００２８】
【発明の効果】
本発明はこのように構成されるので、糞を袋に回収した後に袋を密封することで完全な防臭が得られ、また、繰り返しの糞回収に際しての操作性が良く、更には、簡易構造で低コスト化が可能であると共に、軽量で携帯性も良いペット糞回収器具を得ることができる。
【図面の簡単な説明】
【図１】本発明の一実施形態に係るペット糞回収器具の外観を示す説明図である。
【図２】実施形態のペット糞回収器具を下面側からみた平面図である。
【図３】実施形態のペット糞回収器具の袋固定部の詳細を示す説明図であって、同図（ａ）が袋固定片を取り外した状態の把手部下面側の構造を示す平面図、同図（ｂ）がそのＡＡ断面図、同図（ｃ）は袋固定片単独の平面図、同図（ｄ）はそのＢＢ断面図である。
【図４】実施形態のペット回収器具の使用方法を説明する説明図である。
【図５】実施形態のペット回収器具の使用方法を説明する説明図である。
【図６】実施形態のペット回収器具の使用方法を説明する説明図である。
【符号の説明】
１　環状枠体
１１　固定枠
１１Ａ　凹状溝
１１Ｂ　開放補助溝
１２　可動枠
１２Ａ　縁部
１３　軸部
２　　把手部
２０　袋固定部
２１　袋固定片
【図１】
2004024030.tif 000003
【図２】
2004024030.tif 000004
【図３】
2004024030.tif 000005
【図４】
2004024030.tif 000006
【図５】
2004024030.tif 000007
【図６】
2004024030.tif 000008